(57)【要約】【課題】同軸度が高くかつ動特性の良いソレノイドユニットからなる発射装置を備えた遊技機を提供する。【解決手段】パチンコ機１０は遊技球の発射装置を備えている。発射装置は、ボビンとコイルとからなるソレノイドと、ボビンの内孔に配設されるプランジャと、ソレノイドを支持するヨークとを備えている。ヨークは、一対のヨーク本体と、これらに組付けられる一対の補助ヨークとからなる。補助ヨークは、その一端にプランジャの出力軸を支持する軸受部材を保持する軸受保持部を備え、他端にフランジ部を備えている。そして、ボビンのフランジ部と対向するヨーク本体の支持壁部に形成された取付孔に対し補助ヨークの本体部が挿通され、当該補助ヨークのフランジ部が、ヨーク本体の取付孔周囲の環状凹部とボビンのフランジ部に形成された内孔周囲の環状凹部とに嵌り込んだ状態で、ヨーク本体及びボビンのフランジ部により挟持されている。【選択図】      図１
2010131309.tif 000002
【特許請求の範囲】
【請求項１】
ソレノイドの励磁によってプランジャを所定の軸線方向に沿って直線駆動させ、当該プランジャと一体に前記軸線方向に沿って設けられた出力軸を遊技球に衝突させることにより、当該遊技球を遊技領域へ向け発射する発射装置を備えた遊技機であって、
筒状のボビンと当該ボビンの周囲に巻回されたコイルとからなる前記ソレノイドと、当該ソレノイドを支持し、前記プランジャとともに磁気回路の一部を形成するヨークとを具備した前記発射装置のソレノイドユニットにおいて、
前記ボビンは、
前記コイルが巻回される筒状の巻回部と、
前記巻回部を前記軸線方向に沿って貫通し、前記プランジャが摺動自在に配置される内孔と、
前記巻回部の前記軸線方向の両端部において径方向外周側に向け突出したフランジ部とを備え、
前記ヨークは、
前記ボビンを前記軸線方向に挟み込むようにして支持する第１ヨーク本体及び第２ヨーク本体と、
前記第１ヨーク本体及び第２ヨーク本体に対しそれぞれ前記軸線方向に沿って組付けられる第１補助ヨーク及び第２補助ヨークとを備え、
前記第１ヨーク本体及び第２ヨーク本体は、
それぞれ前記軸線方向に直交して配設されかつ前記ボビンのフランジ部と相対向する支持壁部を備え、
前記第１補助ヨーク及び第２補助ヨークは、
前記第１ヨーク本体及び第２ヨーク本体の支持壁部に形成された取付孔に対し挿通される筒状の本体部と、
前記本体部の前記軸線方向の一端側に設けられ、前記出力軸を摺動自在に支持する軸受部材を保持する軸受保持部と、
前記本体部の前記軸線方向の他端側に設けられ、径方向外周側に向け突出したフランジ部とを備え、
前記第１ヨーク本体及び第２ヨーク本体の各支持壁部と前記ボビンの各フランジ部とが対向するそれぞれの対向面において、前記支持壁部の取付孔及び前記ボビンの内孔の周縁部に沿って環状凹部が形成され、
前記第１ヨーク本体及び第２ヨーク本体の各支持壁部の取付孔に対し、前記第１補助ヨーク及び第２補助ヨークの各本体部がそれぞれ挿通された状態で、当該第１補助ヨーク及び第２補助ヨークのフランジ部が、前記第１ヨーク本体及び第２ヨーク本体の各環状凹部と前記ボビンの各環状凹部とに嵌り込んだ状態で挟持されていることを特徴とする遊技機。
【発明の詳細な説明】
【技術分野】
【０００１】
本発明は、パチンコ機等の遊技機に関するものである。
【背景技術】
【０００２】
遊技機の一種としてパチンコ機等の弾球遊技機がある。かかる弾球遊技機においては、遊技領域へ遊技球を発射するための発射装置を備えている。発射装置としては、ソレノイドの励磁によってプランジャを直線駆動させ、当該プランジャと一体に設けたロッドの先端部を遊技球に衝突させることにより、当該遊技球を打ち出すソレノイド型のものが知られている。
【０００３】
一般的に、発射装置に用いられるソレノイドユニットは、筒状のボビンと当該ボビンに巻回されるコイルとからなるソレノイド、当該ソレノイドを支持するヨーク、ソレノイド（ボビン）の内孔において摺動自在に配設されるプランジャ、当該プランジャと一体に設けられたロッド、当該ロッドを摺動自在に支持する軸受部材、当該軸受部材を保持する軸受保持部材など数多くの部材が組付けられてなる。
【０００４】
例えば、上記ヨークはヨーク本体とヨーク蓋体とからなり、これらがソレノイド（ボビン）を挟持した状態で加締め加工により連結固定されることで、当該ヨークとソレノイドとが一体的に連結固定された状態となる。また、ロッドの軸受部材を保持する軸受保持部材は、ヨークの外側にネジ等の固定手段により組付けられる。
【０００５】
そのため、各部材の組付誤差などが生じやすく、組付誤差の累積によって、ソレノイド、ヨーク、プランジャ（ロッド）など各部材の同軸度が低下するおそれがある。
【０００６】
同軸度が低下すると、ソレノイドユニットの動特性が不安定になる等して、遊技球に対し安定して力が伝達されず、遊技球の飛びにバラツキが生じるなど、発射動作が不安定になる。
【０００７】
このため、従来では、各部材の同軸度を高精度に維持しなければならず、高い組付精度が要求され、製造コストの増加要因となっていた。
【０００８】
このような不具合を解決するために、例えばボビンの両端部から内孔に沿って筒部を突出させ、当該筒部を軸受保持部材に係合させることで同軸度を高める従来技術や、パイプ内にプランジャを収容し、当該パイプをコイルボビンの内孔に挿通して同軸度を向上させる従来技術などが知られている（例えば、特許文献１参照）。
【特許文献１】特開平１０−９７９２０号公報
【発明の開示】
【発明が解決しようとする課題】
【０００９】
しかしながら、上記従来技術では、ソレノイド（ボビン）の内孔に連通するようにヨークに形成される挿通孔に対しても、上記ボビンの突出筒部やパイプが挿通されることとなる。これらパイプ等は、強度確保の観点からもある程度の肉厚が必要となる。このため、必然的にパイプ等の内側に配設されるプランジャと、これともに磁気回路を形成するヨークの挿通孔の内周縁部との間の距離、いわゆるエアーギャップが大きくなる。ソレノイドユニットの動特性は、このエアーギャップの大きさの二乗に反比例することから、このエアーギャップが広がるとソレノイドユニットの動特性が悪くなる。結果として、遊技球の発射動作が不安定になるおそれがある。
【００１０】
本発明は、上記例示した問題点などを解決するためになされたものであり、その目的は、同軸度が高くかつ動特性の良いソレノイドユニットからなる発射装置を備えた遊技機を提供することにある。
【課題を解決するための手段】
【００１１】
上記の目的を達成するため、本発明に係る遊技機は、
ソレノイドの励磁によってプランジャを所定の軸線方向に沿って直線駆動させ、当該プランジャと一体に前記軸線方向に沿って設けられた出力軸を遊技球に衝突させることにより、当該遊技球を遊技領域へ向け発射する発射装置を備えた遊技機であって、
筒状のボビンと当該ボビンの周囲に巻回されたコイルとからなる前記ソレノイドと、当該ソレノイドを支持し、前記プランジャとともに磁気回路の一部を形成するヨークとを具備した前記発射装置のソレノイドユニットにおいて、
前記ボビンは、
前記コイルが巻回される筒状の巻回部と、
前記巻回部を前記軸線方向に沿って貫通し、前記プランジャが摺動自在に配置される内孔と、
前記巻回部の前記軸線方向の両端部において径方向外周側に向け突出したフランジ部とを備え、
前記ヨークは、
前記ボビンを前記軸線方向に挟み込むようにして支持する第１ヨーク本体及び第２ヨーク本体と、
前記第１ヨーク本体及び第２ヨーク本体に対しそれぞれ前記軸線方向に沿って組付けられる第１補助ヨーク及び第２補助ヨークとを備え、
前記第１ヨーク本体及び第２ヨーク本体は、
それぞれ前記軸線方向に直交して配設されかつ前記ボビンのフランジ部と相対向する支持壁部を備え、
前記第１補助ヨーク及び第２補助ヨークは、
前記第１ヨーク本体及び第２ヨーク本体の支持壁部に形成された取付孔に対し挿通される筒状の本体部と、
前記本体部の前記軸線方向の一端側に設けられ、前記出力軸を摺動自在に支持する軸受部材を保持する軸受保持部と、
前記本体部の前記軸線方向の他端側に設けられ、径方向外周側に向け突出したフランジ部とを備え、
前記第１ヨーク本体及び第２ヨーク本体の各支持壁部と前記ボビンの各フランジ部とが対向するそれぞれの対向面において、前記支持壁部の取付孔及び前記ボビンの内孔の周縁部に沿って環状凹部が形成され、
前記第１ヨーク本体及び第２ヨーク本体の各支持壁部の取付孔に対し、前記第１補助ヨーク及び第２補助ヨークの各本体部がそれぞれ挿通された状態で、当該第１補助ヨーク及び第２補助ヨークのフランジ部が、前記第１ヨーク本体及び第２ヨーク本体の各環状凹部と前記ボビンの各環状凹部とに嵌り込んだ状態で挟持されていることをその要旨としている。
【発明の効果】
【００１２】
本発明の遊技機によれば、発射装置を構成するソレノイドユニットの同軸度及び動特性を向上させることができるという優れた効果を奏する。
【発明を実施するための最良の形態】
【００１３】
以下、パチンコ遊技機（以下、単に「パチンコ機」という）の一実施形態を、図面に基づいて詳細に説明する。ここで、図１はパチンコ機１０の正面図であり、図２は斜視図である。また、図３は、内枠１２及び前面枠セット１４を開放した状態を示す斜視図である。但し、図３では便宜上、遊技盤３０面上に配設される釘や役物、前面枠セット１４に取付けられるガラスユニット１３７などを省略して示している。
【００１４】
図１乃至図３に示すように、パチンコ機１０は、当該パチンコ機１０の外郭を構成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。
【００１５】
外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、便宜上、図示は省略するが、外枠１１の右辺部には、施錠装置６００の係止部材が係止される上下一対の受け金具が取付けられている。さらに、外枠１１下部には、樹脂製の幕板飾り８５が取着されている。
【００１６】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００１７】
また、内枠１２の前面側には、前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００１８】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００１９】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００２０】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段（電気抵抗の変化を検出することで操作量を検出できるようになっている）が設けられている。
【００２１】
下皿１５の上方には上皿１９が設けられている。上皿１９は、遊技球を一旦貯留し、一列に整列させながら後述する遊技球発射ユニット（以下、単に発射ユニットという）７０の方へ案内する球受皿である。なお、上皿１９から溢れる遊技球は下皿１５へ案内されるようになっている。
【００２２】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２３】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図８参照）が設けられるとともに、当該スピーカＳＰの前側にスピーカカバー２４が取着されている。
【００２４】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００２５】
次に、内枠１２（樹脂ベース３８）について図４，図５を参照して説明する。図４は、内枠及び遊技盤の構成を示す正面図であり、図５は、内枠及び遊技盤の構成を示す背面図である。
【００２６】
上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２７】
また、内枠１２（樹脂ベース３８）の下部、すなわち窓孔３９（遊技盤３０）の下方位置には、後側へ膨出した膨出部４０が形成されている。この膨出部４０の前面右側には、発射ユニット７０が取付けられている。
【００２８】
発射ユニット７０は、膨出部４０に固定される金属製のベース板７０ａ上に、発射装置７０ｂと、発射レール７０ｃと、球送り機構７０ｄとを備えた構成となっている。
【００２９】
発射レール７０ｃは、発射装置７０ｂにより発射される遊技球を案内するためのものであって、所定の発射角度となるよう直線的に延びている。そして、当該発射レール７０ｃに沿って斜め上方に打ち出された遊技球は、その後、後述するレール５０に沿って遊技領域に案内される。
【００３０】
球送り機構７０ｄは、上皿１９側から案内されてくる遊技球を１球ずつ、発射装置７０ｂの発射動作に同期して、発射レール７０ｃの基端部に案内するためのものである。
【００３１】
本実施形態では、発射装置７０ｂとしてソレノイド式の発射装置を採用している。ここで、発射装置７０ｂについて詳しく説明する。
【００３２】
発射装置７０ｂは、ソレノイドユニット８００（図８参照）と、当該ソレノイドユニット８００を覆うハウジング８０１とからなる。
【００３３】
ハウジング８０１は、前後に２分割された半割構造をなし、ベース板７０ｂ側のベースハウジングと、これに組み付けられるカバーハウジングとからなる。発射装置７０ｂは、複数のビス８０２によりベース板７０ｂに固定されている。
【００３４】
次にソレノイドユニット８００について図８〜１２を参照して詳しく説明する。以下、便宜上、ソレノイドユニット８００については、遊技球の打ち出し側を前側（正面）として、後述するプランジャ８０７の駆動方向となるソレノイドユニット８００の軸線Ｃ１を前後方向において説明する。つまり、図８はソレノイドユニット８００の上面図（平面図）に相当し、図９は右側面図、図１０は正面図、図１１は背面図に相当する。また、図１２は、図８のＫ−Ｋ線断面図である。
【００３５】
ソレノイドユニット８００は、筒状のボビン８０３と当該ボビン８０３の周囲に巻回されたコイル８０４とからなるソレノイド８０５と、当該ソレノイド８０５を支持するヨーク８０６と、ソレノイド８０５の内側に摺動自在に配設されるプランジャ８０７と、当該プランジャ８０７と一体に前後方向に沿って設けられた出力軸としてのロッド８０８とを備えている。プランジャ８０７は例えば鉄等の磁性体金属からなり、ロッド８０８は例えばステンレス鋼等の非磁性体からなる。
【００３６】
ボビン８０３は、コイル８０４が巻回される筒状の巻回部８０３ａと、当該巻回部８０３ａを前後方向に沿って貫通し、プランジャ８０７が配設される内孔８０３ｂと、巻回部８０３ａの前後方向両端部において径方向外周側に向け突出したフランジ部８０３ｃとを備えている。ボビン８０３は、例えば合成樹脂などの非磁性体よりなる。
【００３７】
ヨーク８０６は、ボビン８０３を前後に挟み込むようにして支持する前ヨーク８１１及び後ヨーク８１２と、当該ヨーク８１１，８１２に対しそれぞれ前後方向に沿って組付けられる前補助ヨーク８１３及び後補助ヨーク８１４とからなる。前ヨーク８１１が本実施形態の第１ヨーク本体に相当し、後ヨーク８１２が第２ヨーク本体に相当する。また、前補助ヨーク８１３が本実施形態の第１補助ヨークに相当し、後補助ヨーク８１４が第２補助ヨークに相当する。前後のヨーク８１１，８１２及び補助ヨーク８１３，８１４はそれぞれ磁性体金属（例えば軟鋼板等）からなり、プランジャ８０７とともに磁気回路Ｇ（図１８参照）の一部を形成する。
【００３８】
後ヨーク８１２は、ボビン８０３のフランジ部８０３ｃと前後に相対向する後側支持壁部８１２ａと、当該後側支持壁部８１２ａの上下両端縁部から相対向して前方へ延びる上壁部８１２ｂ及び下壁部８１２ｃとを備え、側面視略コ字状をなす。
【００３９】
上壁部８１２ｂ及び下壁部８１２ｃの前端部中央にはそれぞれ、さらにそこから前方へ突出した一対の係合片部８１２ｄが設けられている。
【００４０】
下壁部８１２ｃの左右両側辺には、それぞれ取付片部８１２ｅが設けられている。各取付片部８１２ｅの後端部は、後側支持壁部８１２ａよりもさらに後方へ突出している。各取付片部８１２ｅは、発射装置７０ｂ（ソレノイドユニット８００）をベース板７０ａに固定するための部位であり、各取付片部８１２ｅにはそれぞれ上記複数のビス８０２を挿通させるための前後一対の孔部８１２ｆが形成されている。
【００４１】
後側支持壁部８１２ａには、後補助ヨーク８１４を挿通するための取付孔８１２ｇが形成されている。
【００４２】
一方、前ヨーク８１１は、ボビン８０３のフランジ部８０３ｃと前後に相対向する前側支持壁部８１１ａと、当該前側支持壁部８１１ａの上下両端縁部から相対向して前方へ延出した一対の係合片部８１１ｄとを備え、側面視略コ字状をなす。また、前側支持壁部８１１ａの上下両端縁部には、それぞれ左右両端部において上方又は下方に向け突出した一対の係合突起８１１ｅが形成されている。
【００４３】
前側支持壁部８１１ａには、前補助ヨーク８１３を挿通するための取付孔８１１ｇが形成されている。
【００４４】
前後両ヨーク８１１，８１２は、それぞれの係合片部８１１ｄ，８１２ｄが上下方向に重畳した状態で組付けられている。詳しくは、前ヨーク８１１の係合片部８１１ｄには、雌ネジ部（図示略）が螺設されたネジ孔８１１ｈが形成されている。これに対向する後ヨーク８１２の係合片部８１２ｄには、ネジ孔８１１ｈに連通する挿通孔８１２ｈが形成されている。そして、後ヨーク８１２の挿通孔８１２ｈを介して、前ヨーク８１１のネジ孔８１１ｈに対して螺着手段としてのネジ８２０が螺着されることにより、前後両ヨーク８１１，８１２が連結固定される。
【００４５】
前後の補助ヨーク８１３，８１４は、全体として筒状をなし、それぞれ前後のヨーク８１１，８１２の取付孔８１１ｇ，８１２ｇに対し挿通される本体部８１３ａ，８１４ａと、当該本体部８１３ａ，８１４ａの前後方向ユニット外方側に設けられ、ロッド８０８を摺動自在に支持する円環状の軸受部材８１５を保持する軸受保持部８１３ｂ，８１４ｂと、本体部８１３ａ，８１４ａの前後方向ユニット内方側に設けられ、径方向外周側に向け突出したフランジ部８１３ｃ，８１４ｃとを備えている。
【００４６】
軸受部材８１５は、例えば合成樹脂等の非磁性体からなり、軸受保持部８１３ｂ，８１４ｂに嵌め込まれた後、加締め、圧入等の方法により固定されている。
【００４７】
軸受保持部８１３ｂ，８１４ｂは、本体部８１３ａ，８１４ａに比べやや小径に形成されている。本体部８１３ａ，８１４ａと軸受保持部８１３ｂ，８１４ｂとの境界部には、プランジャ８０７の動きを規制するためのストッパ部８１３ｄ，８１４ｄが形成されている。なお、図示は省略するが、前補助ヨーク８１３のストッパ部８１３ｄと、プランジャ８０７の前端部との間にはロッド８０８周りにコイルばねが装着されている。これにより、通常時すなわちソレノイド８０５の非励磁状態においては、プランジャ８０７が後方（後補助ヨーク８１４のストッパ部８１４ｄ）へ付勢されている。
【００４８】
プランジャ８０７の後端部には硬質ゴム等からなる緩衝部材８１６が設けられている。また、ロッド８０８の前端部には、遊技球を打撃するためのゴム等の弾性部材からなる槌先キャップ８１７が装着されている。
【００４９】
さらに、前後両ヨーク８１１，８１２の各支持壁部８１１ａ，８１２ａの内側面（ボビン８０３のフランジ部８０３ｃと対向する面）には、取付孔８１１ｇ，８１２ｇの周縁部に沿って段差状に環状凹部８１１ｊ，８１２ｊが形成されている。環状凹部８１１ｊ，８１２ｊは、例えば支持壁部８１１ａ，８１２ａの内側面から、取付孔８１１ｇ，８１２ｇよりも若干大径な円柱状のダイスを当てて押圧するハーフパンチングの手法により形成されている。
【００５０】
前後両ヨーク８１１，８１２の各支持壁部８１１ａ，８１２ａの内側面と対向するボビン８０３のフランジ部８０３ｃの外側面には、それぞれボビン８０３の内孔８０３ｂの周縁部に沿って段差状に環状凹部８０３ｊが形成されている。
【００５１】
そして、前後両ヨーク８１１，８１２の環状凹部８１１ｊ，８１２ｊと、ボビン８０３の環状凹部８０３ｊに対し、前後の補助ヨーク８１３，８１４の各フランジ部８１３ｃ，８１４ｃがそれぞれ嵌り込んだ状態となるとともに、当該フランジ部８１３ｃ，８１４ｃが、前後両ヨーク８１１，８１２の各支持壁部８１１ａ，８１２ａとボビン８０３のフランジ部８０３ｃとにより挟持された状態となっている。
【００５２】
次にソレノイドユニット８００の組付け手順について詳しく説明する。先ず図１３に示すように、ロッド８０８を一体に組付けたプランジャ８０７を、ボビン８０３の内孔８０３ｂ内に挿通する。
【００５３】
次にプランジャ８０７の前側に上記コイルばねを取付けた後、前後両方向から、前補助ヨーク８１３及び後補助ヨーク８１４を組付ける。つまり、ロッド８０８の前後端部をそれぞれ補助ヨーク８１３，８１４に保持された軸受部材８１５に挿し込みつつ、図１４に示すように、補助ヨーク８１３，８１４のフランジ部８１３ｃ，８１４ｃを、それぞれボビン８０３の環状凹部８０３ｊへ嵌め込む。
【００５４】
その後、図１５に示すように、前後両方向から、前ヨーク８１１及び後ヨーク８１２を組付ける。つまり、各補助ヨーク８１３，８１４の本体部８１３ａ，８１４ａをそれぞれ各ヨーク８１１，８１２の支持壁部８１１ａ，８１２ａの取付孔８１１ｇ，８１２ｇへ挿し込む。続いて、前ヨーク８１１の支持壁部８１１ａの上下両端縁部に形成された一対の係合突起８１１ｅ間に、それぞれ後ヨーク８１２の係合片部８１２ｄを差し込みつつ、図１６に示すように、各補助ヨーク８１３，８１４のフランジ部８１３ｃ，８１４ｃを、各ヨーク８１１，８１２の環状凹部８１１ｊ，８１２ｊへ嵌め込む。
【００５５】
その後、前後両ヨーク８１１，８１２の係合片部８１１ｄ，８１２ｄが重畳した状態で、後ヨーク８１２の挿通孔８１２ｈを介して、前ヨーク８１１のネジ孔８１１ｈに対してネジ８２０を螺着する。
【００５６】
図１７に示すように、挿通孔８１１ｈは、前後方向に長い長孔状をなす。挿通孔８１１ｈは、その前縁部及び後縁部が半円弧状に形成されるとともに、後縁部の円弧の径が前縁部の円弧の径よりも大きく設定されている。そして、これらを繋ぐ左右の側縁部は、前後方向の少なくとも所定区間Ｗにおいて、それぞれ前後方向に対し傾斜するように形成されている。これにより、当該区間Ｗの左右幅は前方向へ向かうにつれ幅狭となっている。
【００５７】
一方、この挿通孔８１１ｈに挿通されるネジ８２０は、図１６に示すように、ネジ孔８１１ｈに螺合される雄ネジ部（図示略）が周囲に形成された棒状の軸部８２０ａと、当該軸部８２０ａの一端部から先太りするようにテーパ状に拡径した頭部８２０ｂとを備えた皿ネジである。また、略平坦面状に形成された頭部８２０ｂの端面には工具係合部としての十字溝８２０ｃ（図８参照）が形成されている。
【００５８】
上記構成の下、後ヨーク８１２の挿通孔８１２ｈを介して、前ヨーク８１１のネジ孔８１１ｈに対してネジ８２０を締め込んでいくと、当該ネジ８２０の頭部８２０ｂのテーパ面が挿通孔８１２ｈの左右の側縁部に接触して、前後両ヨーク８１１，８１２の係合片部８１１ｄ，８１２ｄに対し上下方向へ締め付ける力と、前後方向へ相対変位させる力がかかる。
【００５９】
より詳しくは、ネジ８２０を締め込んでいくにつれ、挿通孔８１２ｈに対するネジ８２０の位置が、挿通孔８１２ｈの左右の側縁部との接触により、左右幅のより大きな後方向へ相対変位していく。つまり、当該ネジ８２０が螺着されるネジ孔８１１ｈを有する前ヨーク８１１が、挿通孔８１２ｈを有する後ヨーク８１２に対し後方へ相対変位していく。従って、ネジ８２０を締めることにより、前後両ヨーク８１１，８１２を連結固定するとともに、前後両ヨーク８１１，８１２の各支持壁部８１１ａ，８１２ａの間隔を狭め、当該支持壁部８１１ａ，８１２ａによりボビン８０３を挟持する。ひいては各ヨーク８１１，８１２の支持壁部８１１ａ，８１２ａと、ボビン８０３の各フランジ部８０３ｃとにより、各補助ヨーク８１３，８１４のフランジ部８１３ｃ，８１４ｃを挟持する。
【００６０】
そして、前ヨーク８１１の支持壁部８１１ａの係合突起８１１ｅが、後ヨーク８１２の上壁部８１２ｂ及び下壁部８１２ｃの前端部に押付けられた状態となると、前後両ヨーク８１１，８１２の連結固定が完了する。
【００６１】
その後、ロッド８０８の前端部に槌先キャップ８１７を装着し、ソレノイドユニット８００をハウジング８０１に嵌め込むことにより、発射装置７０ｂの組付けが完了する。なお、ハウジング８０１の組付け後には、ロッド８０８の前端部近傍及び後端部近傍だけがハウジング８０１の外側に露出した状態となっている（図４参照）。
【００６２】
次に発射装置７０ｂの動作について説明する。発射装置７０ｂでは、ソレノイドユニット８００のコイル８０４が通電されていない状態（ソレノイド８０５の非励磁状態）では、コイルばねの付勢力によりプランジャ８０７が後方へ付勢されている。
【００６３】
コイル８０４に通電すると、ソレノイド８０５が励磁され、磁気が発生する。本実施形態における磁気回路Ｇは、前後のヨーク８１１，８１２、補助ヨーク８１３，８１４及びプランジャ８０５によって図１８に示すようなものとなる。この磁気の作用により、プランジャ８０７がコイルばねの付勢力に抗して、前方へ引き寄せられる。この結果、ロッド８０８の先端の槌先キャップ８１７が発射レール７０ｃ上に置かれた遊技球に衝突し、当該遊技球が遊技領域に向けて打ち出される。
【００６４】
そして、コイル８０４への通電が停止されると、プランジャ８０５はコイルばねの復元力により元の位置に戻る。
【００６５】
このような発射装置７０ｂの動作は、発射制御装置３１２により制御される。発射制御装置３１２は、遊技者によるハンドル１８の操作量に応じて、コイル８０４への印加電圧を可変させる。これにより、ソレノイド８０５に発生する磁力を調整して、プランジャ８０７の変位速度を変化させ、遊技球の発射速度ひいては飛翔量を調整する。
【００６６】
また、発射制御装置３１２が、コイル８０４への印加電圧をパルス状に制御することにより、所定周期でソレノイド８０５の励磁・非励磁状態が交互に切替えられ、上記発射動作が間欠的に繰り返し行われることとなる。
【００６７】
また、膨出部４０には、後述する払出機構部３５２から上記下皿１５の排出口１６へ繋がる球通路７１が設けられている。また、発射ユニット７０の発射レール７０ｃと後述するレール５０（外レール構成部５２）との間には所定間隔の隙間があり、この隙間より下方にファール球通路７２が形成されている。これにより、仮に、発射ユニット７０から発射された遊技球が後述する戻り球防止部材５３まで至らずファール球としてレール５０を逆戻りする場合には、そのファール球がファール球通路７２及び球通路７１を介して下皿１５に排出される。
【００６８】
また、内枠１２の右側部背面側には施錠装置６００が設けられている。施錠装置６００は、前面枠セット１４の前面側に露出するシリンダ錠７００を備えており、該シリンダ錠７００の鍵穴に鍵を挿入し、一方に回動操作することで内枠１２を解錠でき、他方に回動操作することで前面枠セット１４及び裏パックユニット２０３を解錠できるようになっている。本実施形態では、内枠１２は外枠１１に対し施錠され、前面枠セット１４及び裏パックユニット２０３は内枠１２に対し施錠される。
【００６９】
次に、遊技盤３０の構成について図４を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、入球手段としての各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００７０】
また、第１契機対応口３３へ遊技球が入球したことを契機として大当たり抽選が行われ、当該大当たり抽選により当選結果が得られた場合には特別遊技状態としての大当たり状態が発生する。
【００７１】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００７２】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００７３】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００７４】
装飾図柄表示装置４２は、液晶表示装置であって、後述するサブ制御装置５６０によって表示内容が制御される。すなわち、装飾図柄表示装置４２においては、特別表示装置４３にて表示される結果に対応させるように、主制御装置２６１からのコマンドに基づき、サブ制御装置５６０によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。センターフレーム４７内には、各種ＬＥＤ等の発光手段や、当該ＬＥＤ等を駆動するＬＥＤ制御基板なども配設されている。
【００７５】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００７６】
また、遊技盤３０には、発射ユニット７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００７７】
内レール構成部５１の先端部分には戻り球防止部材５３が取着されている。これにより、一旦、レール５０から遊技盤３０の上部へと案内された遊技球が再度レール５０内に戻ってしまうといった事態が防止される。
【００７８】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００７９】
次に、パチンコ機１０の背面構成について図５，図６を参照して説明する。パチンコ機１０の背面には、各種制御基板が上下左右に並べられるようにして、一部前後に重ねられるようにして配置されている。さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主制御基板としての主基板だけを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。なお、第１制御基板ユニット２０１、第２制御基板ユニット２０２及び裏パックユニット２０３は、ユニット単位で着脱できるよう構成されており、さらに、一部に支軸部を設けて内枠１２又は遊技盤３０の裏面に対して開閉できる構成となっている。
【００８０】
まず、遊技盤３０の背面構成について説明する。上述したように遊技盤３０の中央にはルータ加工によって形成された貫通穴に対して可変表示装置ユニット３５が配設されている。
【００８１】
可変表示装置ユニット３５の後部には、センターフレーム４７を背後から覆う樹脂製のフレームカバー２１３が後方に突出して設けられている。但し、本実施形態では、センターフレーム４７が遊技盤３０の前面側に固定され、フレームカバー２１３が遊技盤３０の裏面に固定されることによって、可変表示装置ユニット３５として一体化される構成となっている。そして、このフレームカバー２１３の後端に、液晶表示装置たる装飾図柄表示装置４２と表示制御装置４５とが前後に重ね合わされ一体化（ユニット化）された状態で取付けられている。さらに、表示制御装置４５の背面側にはサブ制御装置５６０が取付けられている。
【００８２】
サブ制御装置５６０は、後述するように主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板が透明樹脂材料等よりなる基板ボックス５６２に収容されて構成されている。
【００８３】
また、遊技盤３０の裏面には、可変表示装置ユニット３５を取り囲むようにして裏枠セット２１５が取付けられている。この裏枠セット２１５は、遊技盤３０の裏面に張り付くようにして設けられる薄型の樹脂成形品であって、各種入賞口に入賞した遊技球を回収するための球回収機構２１６を備えている。また、第２制御基板ユニット２０２には、球回収機構２１６の下方位置において排出通路部２１７が形成されており、該排出通路部２１７には排出球をパチンコ機１０外部へ排出する排出シュート２１８が形成されている（図６参照）。従って、一般入賞口３１等に入賞した遊技球は何れも裏枠セット２１５の球回収機構２１６を介して集合し、さらに排出通路部２１７の排出シュート２１８を介してパチンコ機１０外部に排出される。なお、アウト口３６も同様に排出通路部２１７に通じており、何れの入賞口にも入賞しなかった遊技球も排出シュート２１８を介してパチンコ機１０外部に排出される。
【００８４】
さらに、遊技盤３０の裏面には、各種入賞口などの遊技球の通過を検出するための入球検出手段としての検出スイッチなどが設けられている。具体的には、遊技盤３０表側の一般入賞口３１に対応する位置には入賞口スイッチ２２１が設けられ、可変入賞装置３２にはカウントスイッチ２２３が設けられている。カウントスイッチ２２３は可変入賞装置３２に入賞した遊技球をカウントするスイッチである。また、第１契機対応口３３に対応する位置には第１契機対応口（始動口）スイッチ２２４が設けられ、第２契機対応口３４に対応する位置には第２契機対応口（ゲート）スイッチ２２５が設けられている。
【００８５】
入賞口スイッチ２２１、カウントスイッチ２２３及び第２契機対応口（ゲート）スイッチ２２５は、ケーブルコネクタを介して第１盤面中継基板２２６に接続され、さらにこの第１盤面中継基板２２６が後述する主基板（主制御装置２６１）にケーブルコネクタを介して接続されている。これに対し、第１契機対応口（始動口）スイッチ２２４は中継基板を経ることなく直接主基板にケーブルコネクタを介して接続されている。
【００８６】
その他図示は省略するが、可変入賞装置３２には、大入賞口を開放するための大入賞口ソレノイドが設けられ、第１契機対応口３３には、電動役物を開放するための第１契機対応口（始動口）ソレノイドが設けられている。これら大入賞口ソレノイド及び第１契機対応口（始動口）ソレノイドはケーブルコネクタを介して第２盤面中継基板２２７に接続され、さらにこの第２盤面中継基板２２７がやはりケーブルコネクタを介して主基板に接続されている。
【００８７】
上記検出スイッチにて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出しが実施される。本実施形態のパチンコ機１０では、各種入賞口毎に遊技球の入賞を電気的に感知して払出しが直ちに行われる。
【００８８】
さて、第１制御基板ユニット２０１に設けられた主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。
【００８９】
なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００９０】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００９１】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００９２】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００９３】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００９４】
次に、裏パックユニット２０３の構成を説明する。裏パックユニット２０３は、樹脂成形された裏パック３５１と遊技球の払出機構部３５２とを一体化したものである。
【００９５】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖されかつ前面及び下面が開放された形状をなし、少なくとも可変表示装置ユニット３５を囲むのに十分な大きさを有する。但し、本実施形態では、主制御装置２６１の一部も合わせて覆う構成となっている。保護カバー部３５４により、後述する上部のタンク３５５等から落下してくる遊技球等から可変表示装置ユニット３５が保護される。
【００９６】
また、保護カバー部３５４の背面には多数の通気孔３５４ａが設けられている。
【００９７】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００９８】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００９９】
次に、パチンコ機１０の電気的構成について説明する。図７は、本パチンコ機１０の電気的構成を示すブロック図である。パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【０１００】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【０１０１】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１０２】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置５６０、特別表示装置４３、普通図柄表示装置４１が接続されている。但し、普通図柄表示装置４１及び特別表示装置４３とは、サブ制御装置５６０の入出力ポート５５４を中継手段として接続されている。その他、便宜上、図示は省略するが、上記第１契機対応口スイッチ２２４等の各種検出スイッチや、第１盤面中継基板２２６等の各種基板などの各種電気部品が接続されている。この構成により、上述した特別表示装置４３および普通図柄表示装置４１は、主制御装置２６１により直接的に制御される。一方、装飾図柄表示装置４２は、サブ制御装置５６０を介して制御される。
【０１０３】
サブ制御装置５６０（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１０４】
入出力ポート５５４には、バスライン５５５を介してＣＰＵ５５１、ＲＯＭ５５２、ＲＡＭ５５３が接続されている。さらに、入出力ポート５５４には、表示制御装置４５、スピーカＳＰ、各種電飾部及びランプ１０２〜１０４等が接続されている。
【０１０５】
サブ制御装置５６０のＣＰＵ５５１は、例えば主制御装置２６１から送信される指令信号（例えば変動パターンコマンド）に基づいて表示制御装置４５に表示制御を実行させ、装飾図柄表示装置４２に表示させる。さらに、サブ制御装置５６０は、音声やランプ表示の制御を司る。なお、上記のように、本実施形態では、主制御装置２６１が制御する特別表示装置４３にて大当たりか否かを表示するようになっており、サブ制御装置５６０が制御する装飾図柄表示装置４２では、前記特別表示装置４３の表示に合わせた表示が行われる。
【０１０６】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１０７】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【０１０８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０１０９】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【０１１０】
発射制御装置３１２は、発射装置７０ｂによる遊技球の発射を許可又は禁止するものであり、発射装置７０ｂは、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、上述したように発射装置７０ｂが駆動され、ハンドル１８の操作量に応じた強度で１球ずつ遊技球が発射される。
【０１１１】
表示制御装置４５は、サブ制御装置５６０からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置５６０の入出力ポート５５４が接続されている。また、入力ポート５２７には、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１１２】
表示制御装置４５のＣＰＵ５２１は、サブ制御装置５６０から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行なう。
【０１１３】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１１４】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１１５】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１１６】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１１７】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１１８】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１１９】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１２０】
以上詳述したように、本実施形態では、ロッド８０８の軸受部材８１５を保持する部材が、ヨーク８０６を構成する一部材である補助ヨーク８１３，８１４により構成されるとともに、当該補助ヨーク８１３，８１４がヨーク本体８１１，８１２及びボビン８０３それぞれに対し位置決めされた状態で組付けられる。結果として、ソレノイド８０５、ヨーク８０６、プランジャ８０７（出力軸８０８）など各部材の組付誤差の累積を低減し、各部材の同軸度の低下を抑制することができる。ひいては、同軸度を高めるための組付け作業の簡素化を図り、製造コストの増加を抑制することができる。
【０１２１】
さらに、本実施形態では、同軸度を高めるために、ヨーク本体８１１，８１２に挿通される部材が、従来技術のように非磁性体からなるパイプ等ではなく、ヨーク８０６の一部を構成する磁性体の補助ヨーク８１３，８１４である。このため、プランジャ８０７と、これともに磁気回路を形成するヨーク本体８１１，８１２の取付孔８１１ｇ，８１２ｇの内周縁部との間に非磁性体が介在されないため、エアーギャップＸ（図１８参照）を比較的小さくでき、ソレノイドユニット８００の動特性の悪化を抑制することができる。
【０１２２】
結果として、ソレノイドユニット８００の動特性を安定させることができ、遊技球の発射動作を安定させることができる。さらには、同軸度が高くかつ動特性の良いソレノイドユニット８００を安価に製造することができる。
【０１２３】
また、本実施形態では、前後両ヨーク８１１，８１２の係合片部８１１ｄ，８１２ｄが重畳した状態で、軸線Ｃ１方向（プランジャ８０７の駆動方向）と直交する上下方向に沿って、後ヨーク８１２の挿通孔８１２ｈを介してネジ８２０を挿し込み、前ヨーク８１１のネジ孔８１１ｈに螺着することにより、前後両ヨーク８１１，８１２が連結固定される構成となっている。これにより、ネジ８２０が比較的緩みにくい構成となる。
【０１２４】
さらに、挿通孔８１１ｈは、前後方向に長い長孔状をなし、その左右幅が前方向へ向かうにつれ幅狭となっている。一方、ネジ８２０は、テーパ状に拡径した頭部８２０ｂを有している。この結果、ネジ８２０を締めることにより、前後両ヨーク８１１，８１２を連結固定するとともに、前後両ヨーク８１１，８１２の各支持壁部８１１ａ，８１２ａの間隔を狭め、当該支持壁部８１１ａ，８１２ａによりボビン８０３を挟持することができる。ひいては各ヨーク８１１，８１２の支持壁部８１１ａ，８１２ａと、ボビン８０３の各フランジ部８０３ｃとにより、各補助ヨーク８１３，８１４のフランジ部８１３ｃ，８１４ｃを挟持することができる。
【０１２５】
かかる構成により、ヨーク８０６の構成部材の連結作業を行うために加締め加工用のプレス装置など特別な装置を必要とせず、作業を簡素化できるため、製造コストの増加抑制を図ることができる。また、不良品が発生した場合にも、ヨーク８０６の構成部材の連結を解除して、当該ヨーク８０６の構成部材の再利用を図ることができるため、リサイクル性にも優れる。
【０１２６】
なお、上述した実施形態の記載内容に限定されず、例えば次のように実施してもよい。
【０１２７】
（ａ）ソレノイドユニット８００の各構成部材の形状、材質、大きさ等は上記実施形態に限定されるものではない。例えば上記実施形態では、補助ヨーク８１３，８１４の本体部８１３ａ，８１４ａの内孔８１３ｆ，８１４ｆの内径が、ボビン８０３の内孔８０３ｂの内径と略同一に形成されている。これに限らず、例えば補助ヨーク８１３，８１４の内孔８１３ｆ，８１４ｆの内径を、ボビン８０３の内孔８０３ｂの内径より小さくして、エアーギャップＸの間隔をより小さくした構成としてもよい。
【０１２８】
（ｂ）上記実施形態では、挿通孔８１１ｈの形状に偏りを持たせることによって、ネジ８２０により前後両ヨーク８１１，８１２を連結固定するとともに、前後両ヨーク８１１，８１２の各支持壁部８１１ａ，８１２ａの間隔を狭めていく構成となっている。しかし、前後両ヨーク８１１，８１２を連結固定する構成は、これに限定されるものではない。例えば、後ヨーク８１２の挿通孔８１２ｈを真円とし、単にネジ８２０の挿し込み方向を、軸線Ｃ１方向と直交する上下方向としただけの構成であっても、ネジ８２０の緩みは発生しにくくなる。
【０１２９】
（ｃ）上記実施形態とは異なるタイプのパチンコ機として実施してもよい。また、パチンコ機以外にも、アレンジボール機、それに類する雀球等の各種遊技機などとして実施してもよい。
【０１３０】
以下、特許請求の範囲の請求項に記載されないものであって、上記実施形態から把握できる技術的思想について、その効果とともに記載する。
【０１３１】
手段１．ソレノイドの励磁によってプランジャを所定の軸線方向に沿って直線駆動させ、当該プランジャと一体に前記軸線方向に沿って設けられた出力軸を遊技球に衝突させることにより、当該遊技球を遊技領域へ向け発射する発射装置を備えた遊技機であって、
筒状のボビンと当該ボビンの周囲に巻回されたコイルとからなる前記ソレノイドと、当該ソレノイドを支持し、前記プランジャとともに磁気回路の一部を形成するヨークとを具備した前記発射装置のソレノイドユニットにおいて、
前記ボビンは、
前記コイルが巻回される筒状の巻回部と、
前記巻回部を前記軸線方向に沿って貫通し、前記プランジャが摺動自在に配置される内孔と、
前記巻回部の前記軸線方向の両端部において径方向外周側に向け突出したフランジ部とを備え、
前記ヨークは、
前記ボビンを前記軸線方向に挟み込むようにして支持する第１ヨーク本体及び第２ヨーク本体と、
前記第１ヨーク本体及び第２ヨーク本体に対しそれぞれ前記軸線方向に沿って組付けられる第１補助ヨーク及び第２補助ヨークとを備え、
前記第１ヨーク本体及び第２ヨーク本体は、
それぞれ前記軸線方向に直交して配設されかつ前記ボビンのフランジ部と相対向する支持壁部を備え、
前記第１補助ヨーク及び第２補助ヨークは、
前記第１ヨーク本体及び第２ヨーク本体の支持壁部に形成された取付孔に対し挿通される筒状の本体部と、
前記本体部の前記軸線方向の一端側に設けられ、前記出力軸を摺動自在に支持する軸受部材を保持する軸受保持部と、
前記本体部の前記軸線方向の他端側に設けられ、径方向外周側に向け突出したフランジ部とを備え、
前記第１ヨーク本体及び第２ヨーク本体の各支持壁部と前記ボビンの各フランジ部とが対向するそれぞれの対向面において、前記支持壁部の取付孔及び前記ボビンの内孔の周縁部に沿って環状凹部が形成され、
前記第１ヨーク本体及び第２ヨーク本体の各支持壁部の取付孔に対し、前記第１補助ヨーク及び第２補助ヨークの各本体部がそれぞれ挿通された状態で、当該第１補助ヨーク及び第２補助ヨークのフランジ部が、前記第１ヨーク本体及び第２ヨーク本体の各環状凹部と前記ボビンの各環状凹部とに嵌り込んだ状態で挟持されていることを特徴とする遊技機。
【０１３２】
上記手段１によれば、出力軸の軸受部材を保持する部材が、ヨークを構成する一部材である補助ヨークにより構成されるとともに、当該補助ヨークがヨーク本体及びボビンそれぞれに対し位置決めされた状態で組付けられる。結果として、ソレノイド、ヨーク、プランジャ（出力軸）など各部材の組付誤差の累積を低減し、各部材の同軸度の低下を抑制することができる。ひいては、同軸度を高めるための組付け作業の簡素化を図り、製造コストの増加を抑制することができる。
【０１３３】
また、本手段１では、同軸度を高めるために、ヨーク本体に挿通される部材が、従来技術のように非磁性体からなるパイプ等ではなく、ヨークの一部を構成する磁性体の補助ヨークである。このため、プランジャと、これともに磁気回路を形成するヨーク本体の取付孔の内周縁部との間に非磁性体が介在されないため、エアーギャップを比較的小さくでき、ソレノイドユニットの動特性の悪化を抑制することができる。
【０１３４】
結果として、ソレノイドユニットの動特性を安定させることができ、遊技球の発射動作を安定させることができる。さらには、同軸度が高くかつ動特性の良いソレノイドユニットを安価に製造することができる。
【０１３５】
手段２、前記第１ヨーク本体及び第２ヨーク本体は、前記軸線方向と直交する方向に挿し込まれる所定の螺着手段（ネジ等）により連結固定されることを特徴とする手段１に記載の遊技機。
【０１３６】
従来のヨークは、一般的に２つのヨーク構成部材からなり、これらがソレノイド（ボビン）を挟持した状態で加締め加工等されることで、当該ヨークとソレノイドとが一体的に連結固定された状態となる。また、出力軸の軸受部材を保持する軸受保持部材は、その後、ヨークの外側にネジ等の固定手段により組付けられる。
【０１３７】
しかし、加締め加工では、プレス装置が必要となるとともに、加工後に不良品が発見された場合には、当該製品をリサイクルできなくなるため、製造コストの増加要因の一つとなっていた。これに対し、本手段によれば、ヨーク構成部材の連結作業を行うために特別な装置を必要とせず、作業を簡素化できるため、製造コストの増加抑制を図ることができる。また、不良品が発生した場合にも、ヨーク構成部材の連結を解除して、当該ヨーク構成部材の再利用を図ることができるため、リサイクル性にも優れる。
【０１３８】
また、プランジャの駆動方向（軸線方向）には、動作時には絶えず振動が加わるため、仮に螺着手段の挿し込み方向がプランジャの駆動方向と平行である場合には、螺着手段が緩みやすくなることが懸念される。これに対し、本手段では、螺着手段の挿し込み方向がプランジャの駆動方向と直交方向にあるため、螺着手段が比較的緩みにくい構成となる。
【０１３９】
手段３．前記軸線方向と直交する方向に対し、前記第１ヨーク本体と前記第２ヨーク本体とが重畳して配設される箇所において、内方側に位置する前記第１ヨーク本体には、テーパ状に拡径した頭部を有する前記螺着手段としてのネジが螺着されるネジ孔が形成され、外方側に位置する前記第２ヨーク本体には、前記ネジが挿通される挿通孔が形成され、
前記挿通孔は、前記軸線方向に長い長孔状をなし、前記軸線方向の少なくとも所定区間において、前記軸線方向と直交する方向における幅が、前記軸線方向の内方側から外方側に向けて次第に狭くなっていることを特徴とする手段２に記載の遊技機。
【０１４０】
上記手段３によれば、第２ヨーク本体の挿通孔を介して第１ヨーク本体のネジ孔に対してネジを螺着し締めていくと、当該ネジの頭部のテーパ面が挿通孔の縁部に接触して、挿通孔に対するネジの位置がより幅広側へ相対変位していく。つまり、ネジを締めることにより、両ヨークを連結固定するとともに、ネジが螺着されるネジ孔を有する第１ヨーク本体と、挿通孔を有する第２ヨーク本体とが、両者の支持壁部が近づく方向へ相対変位して、ボビンひいては補助ヨークのフランジ部が挟持される。このため、組付け作業性が向上するとともに、軸線方向における緩みを抑制し、上記手段２の作用効果をさらに高めることができる。
【０１４１】
なお、「軸線方向と直交する方向」の内方側及び外方側、並びに「軸線方向」の内方側及び外方側とは、それぞれの方向におけるソレノイドユニットの中央部に近い側及び遠い側を意味する。
【０１４２】
以下に、上記各手段が適用される各種遊技機の基本構成を示す。
【０１４３】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射装置と、当該発射された遊技球が案内される所定の遊技領域と、前記遊技領域内に配置された各入球手段（一般入賞口、可変入賞装置、作動口等）とを備えた弾球遊技機」が挙げられる。
【０１４４】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射装置と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０１４５】
Ｃ．上記各手段における前記遊技機、又は、上記各弾球遊技機は、パチンコ機又はパチンコ機に準ずる遊技機であること。
【図面の簡単な説明】
【０１４６】
【図１】一実施形態におけるパチンコ機を示す正面図である。
【図２】パチンコ機の斜視図である。
【図３】内枠及び前面枠セットを開放した状態を示す斜視図である。
【図４】内枠及び遊技盤の構成を示す正面図である。
【図５】内枠及び遊技盤の構成を示す背面図である。
【図６】パチンコ機の構成を示す背面図である。
【図７】電気的構成を示すブロック図である。
【図８】ソレノイドユニットの上面図である。
【図９】ソレノイドユニットの右側面図である。
【図１０】ソレノイドユニットの正面図である。
【図１１】ソレノイドユニットの背面図である。
【図１２】図８のＫ−Ｋ線断面図である。
【図１３】ソレノイドユニットの組付け手順を説明するための図である。
【図１４】ソレノイドユニットの組付け手順を説明するための図である。
【図１５】ソレノイドユニットの組付け手順を説明するための図である。
【図１６】ソレノイドユニットの組付け手順を説明するための図である。
【図１７】挿通孔、ネジ孔、ネジ等の関係を説明するための模式図である。
【図１８】磁気回路等を説明するための模式図である。
【符号の説明】
【０１４７】
１０…パチンコ機、７０ｂ…発射装置、８００…ソレノイドユニット、８０３…ボビン、８０３ａ…巻回部、８０３ｂ…内孔、８０３ｃ…フランジ部、８０３ｊ…環状凹部、８０４…コイル、８０５…ソレノイド、８０６…ヨーク、８０７…プランジャ、８０８…ロッド、８１１…前ヨーク、８１１ａ…前側支持壁部、８１１ｄ…係合片部、８１１ｇ…取付孔、８１１ｈ…ネジ孔、８１１ｊ…環状凹部、８１２…後ヨーク、８１２ａ…後側支持壁部、８１２ｄ…係合片部、８１２ｇ…取付孔、８１２ｈ…挿通孔、８１２ｊ…環状凹部、８１３…前補助ヨーク、８１４…後補助ヨーク、８１３ａ，８１４ａ…本体部、８１３ｂ，８１４ｂ…軸受保持部、８１３ｃ，８１４ｃ…フランジ部、８１５…軸受部材、８２０…ネジ、８２０ｂ…頭部、Ｃ１…軸線、Ｇ…磁気回路、Ｘ…エアーギャップ。
【図１】
2010131309.tif 000003
【図２】
2010131309.tif 000004
【図３】
2010131309.tif 000005
【図４】
2010131309.tif 000006
【図５】
2010131309.tif 000007
【図６】
2010131309.tif 000008
【図７】
2010131309.tif 000009
【図８】
2010131309.tif 000010
【図９】
2010131309.tif 000011
【図１０】
2010131309.tif 000012
【図１１】
2010131309.tif 000013
【図１２】
2010131309.tif 000014
【図１３】
2010131309.tif 000015
【図１４】
2010131309.tif 000016
【図１５】
2010131309.tif 000017
【図１６】
2010131309.tif 000018
【図１７】
2010131309.tif 000019
【図１８】
2010131309.tif 000020